【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
１つまたは複数の子コンピュータシステムと少なくとも１つの親コンピュータシステムとを含む既存のマルチキャスト会議セッションに加わるための方法であって、前記親コンピュータシステムが前記１つまたは複数の子コンピュータシステムとネットワーク接続可能であり、前記方法は、
前記親コンピュータシステムにおいて前記マルチキャスト会議セッションのための指定のマルチキャストアドレスにアクセスする動作と、
前記親コンピュータシステムから前記マルチキャスト会議セッションのための少なくとも１つの前記指定のマルチキャストアドレスを含むマルチキャスト勧誘メッセージを子コンピュータシステムに送信する動作と、
前記マルチキャスト会議セッションに参加しているコンピュータシステムによる受信のためにマルチキャスト送信側から送信されるマルチキャストパケットを前記子コンピュータシステムにおいて前記指定のマルチキャストアドレスで受信する動作と、
前記マルチキャストパケットを受信することに応答して、前記子コンピュータシステムからマルチキャストステータスメッセージを前記親コンピュータシステムに送信する動作であって、前記マルチキャストステータスメッセージは前記子コンピュータシステムが前記マルチキャスト会議セッションのためのマルチキャストパケットを受信できることを前記親コンピュータシステムに示す動作と、
前記親コンピュータシステムにおいて前記マルチキャストステータスメッセージを受信したことに応答して、次のマルチキャストシーケンス番号を前記親コンピュータシステムから前記子コンピュータシステムに送信する動作であって、前記次のマルチキャストシーケンス番号は、前記マルチキャストセッションのための次のマルチキャストパケットに関連付けられることになるマルチキャストシーケンス番号を示す動作と
を含むことを特徴とする方法。
【請求項２】
１つまたは複数の子コンピュータシステムにネットワーク接続可能な親コンピュータシステムであって、
前記マルチキャスト会議セッションのための指定のマルチキャストアドレスにアクセスする手段と、
少なくとも１つの前記指定のマルチキャストアドレスを含むマルチキャスト勧誘メッセージを子コンピュータシステムに送信する手段と、
前記子コンピュータシステムが前記マルチキャスト会議セッションのためのマルチキャストパケットを受信できることを示すマルチキャストステータスメッセージを受信する手段と、
前記マルチキャストステータスメッセージを受信したことに応答して、次のマルチキャストシーケンス番号を前記子コンピュータシステムに送信する手段であって、前記次のマルチキャストシーケンス番号は、前記マルチキャストセッションのための次のマルチキャストパケットに関連付けられることになるマルチキャストシーケンス番号を示す手段と
を備えたことを特徴とするシステム。
【請求項３】
マルチキャストアドレスにアクセスする前記手段は、コンピュータシステムの階層ツリーにおいて前記親コンピュータシステムより上のコンピュータシステムから前記マルチキャストアドレスを受信するようにさらに構成されたことを特徴とする請求項２に記載のシステム。
【請求項４】
指定のマルチキャストアドレスにアクセスする前記手段は、前記指定のマルチキャストアドレスを割り振るようにさらに構成されたことを特徴とする請求項２に記載のシステム。
【請求項５】
マルチキャスト勧誘メッセージを子コンピュータシステムに送信する前記手段は、前記指定のマルチキャストアドレス、指定のマルチキャストポート、およびマルチキャスト送信側のネットワークアドレスを含むマルチキャスト勧誘メッセージを送信するようにさらに構成されたことを特徴とする請求項２に記載のシステム。
【請求項６】
マルチキャストステータスメッセージを受信する前記手段は、前記マルチキャストセッションに参加しているコンピュータシステムに送信されたマルチキャストパケットの受信の成功を確認するメッセージを受信するようにさらに構成されたことを特徴とする請求項２に記載のシステム。
【請求項７】
少なくとも１つの親コンピュータシステムにネットワーク接続可能な子コンピュータシステムであって、
前記マルチキャスト会議セッションのための少なくとも１つの指定のマルチキャストアドレスを含むマルチキャスト勧誘メッセージを前記親コンピュータシステムから受信する手段と、
前記マルチキャスト会議セッションに参加しているコンピュータシステムによる受信のためにマルチキャスト送信側から送信されるマルチキャストパケットを前記指定のマルチキャストアドレスで受信する手段と、
前記マルチキャストパケットを受信したことに応答して、マルチキャストステータスメッセージを前記親コンピュータシステムに送信する手段であって、前記マルチキャストステータスメッセージは、前記子コンピュータシステムが前記マルチキャスト会議セッションのためのマルチキャストパケットを受信できることを前記親コンピュータシステムに示す手段と、
次のマルチキャストシーケンス番号を前記親コンピュータシステムから受信する手段であって、前記次のマルチキャストシーケンス番号は、前記マルチキャストセッションのための次のマルチキャストパケットに関連付けられることになるマルチキャストシーケンス番号を示す手段と
を備えたことを特徴とするシステム。
【請求項８】
マルチキャスト勧誘メッセージを前記親コンピュータシステムから受信する前記手段は、前記指定のマルチキャストアドレス、指定のマルチキャストポート、およびマルチキャスト送信側のネットワークアドレスを含むマルチキャスト勧誘メッセージを受信するようにさらに構成されたことを特徴とする請求項７に記載のシステム。
【請求項９】
マルチキャストパケットを受信する前記手段は、コンピュータシステムの階層ツリーにおいて前記親コンピュータシステムより上のコンピュータシステムによって送信されたマルチキャストパケットを受信するようにさらに構成されたことを特徴とする請求項７に記載のシステム。
【請求項１０】
マルチキャストステータスメッセージを前記親コンピュータシステムに送信する前記手段は、前記マルチキャストセッションに参加しているコンピュータシステムに送信された前記マルチキャストパケットの受信を確認するメッセージを送信するようにさらに構成されたことを特徴とする請求項７に記載のシステム。
【請求項１１】
１つまたは複数の子コンピュータシステムにネットワーク接続可能な親コンピュータシステムにおける使用のためのコンピュータプログラムプロダクトであって、既存のマルチキャスト会議セッションに加わるよう子コンピュータシステムを勧誘する方法を実装するためのコンピュータプログラムプロダクトであって、プロセッサによって実行されたとき、
前記マルチキャスト会議セッションのための指定のマルチキャストアドレスにアクセスすることと、
少なくとも１つの前記指定のマルチキャストアドレスを含むマルチキャスト勧誘メッセージを子コンピュータシステムに送信することと、
前記子コンピュータシステムが前記マルチキャスト会議セッションのためのマルチキャストパケットを受信できることを示すマルチキャストステータスメッセージを受信することと、
前記マルチキャストステータスメッセージを受信したことに応答して前記マルチキャストセッションのための受信される次のマルチキャストパケットに関連付けられることになるマルチキャストシーケンス番号を示す次のマルチキャストシーケンス番号を前記子コンピュータシステムに送信することと
を前記親コンピュータシステムに実行させるコンピュータ実行可能命令を格納した１つまたは複数のコンピュータ可読メディアを備えたことを特徴とするコンピュータプログラムプロダクト。
【請求項１２】
前記１つまたは複数のコンピュータ可読メディアは、物理的記憶メディアを含むことを特徴とする請求項１１に記載のコンピュータプログラムプロダクト。
【請求項１３】
少なくとも１つの親コンピュータシステムにネットワーク接続可能な子コンピュータシステムにおける使用のためのコンピュータプログラムプロダクトであって、マルチキャスト会議セッションに加わるための方法を実装するためのコンピュータプログラムプロダクトであって、プロセッサによって実行されたとき、
前記マルチキャスト会議セッションのための少なくとも１つの指定のマルチキャストアドレスを含むマルチキャスト勧誘メッセージを前記親コンピュータシステムから受信することと、
前記マルチキャスト会議セッションに参加しているコンピュータシステムによる受信のためにマルチキャスト送信側から送信されるマルチキャストパケットを前記指定のマルチキャストアドレスで受信することと、
前記マルチキャストパケットを受信したことに応答して、前記子コンピュータシステムが前記マルチキャスト会議セッションのためのマルチキャストパケットを受信できることを前記親コンピュータシステムに示すマルチキャストステータスメッセージを前記親コンピュータシステムに送信することと、
前記子コンピュータシステムによって受信される次のマルチキャストパケットに関連付けられることになるマルチキャストシーケンス番号を示す次のマルチキャストシーケンス番号を前記親コンピュータシステムから受信することと
を前記子コンピュータシステムに実行させるコンピュータ実行可能命令を格納した１つまたは複数のコンピュータ可読メディアを備えたことを特徴とするコンピュータプログラムプロダクト。
【請求項１４】
前記１つまたは複数のコンピュータ可読メディアは、物理的記憶メディアを含むことを特徴とする請求項１３に記載のコンピュータプログラムプロダクト。